【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のデバイスセンシング要求に応答して第１のデバイスセンシング応答メッセージが複数のリモート近接場通信(ＮＦＣ)デバイスの間における１つまたは複数の衝突を含むと決定することと、
前記第１のデバイスセンシング応答メッセージについて衝突解消を実行することによって、前記複数のリモートＮＦＣデバイスのうち第１のリモートＮＦＣデバイスを識別することと、
前記第１のリモートＮＦＣデバイスが第１のデバイスセンシング要求メッセージに応答することを禁止するスリープ要求メッセージを前記第１のリモートＮＦＣデバイスに送信することと、
別のデバイスセンシング要求メッセージを送信することと、
前記複数のリモートＮＦＣデバイスの間における衝突を含む第２のデバイスセンシング応答メッセージを受信することと、
前記第２のデバイスセンシング応答メッセージについて衝突解消を実行することによって、前記複数のリモートＮＦＣデバイスのうちの第２のリモートＮＦＣデバイスを識別することと
を備える方法。
【請求項２】
前記受信した第１のデバイスセンシング応答メッセージを記憶構造の第１のロケーションに、前記第２のデバイスセンシング応答メッセージを前記記憶構造の第２のロケーションに記憶することと、
衝突がないデバイスセンシング応答メッセージを受信することと、
前記受信された衝突がないデバイスセンシング応答メッセージを使用して、前記記憶構造内の前記第１のロケーション内の前記第１のデバイスセンシング応答メッセージ、および、前記第２のロケーション内の前記第２のデバイスセンシング応答メッセージを分析することで、前記第１および第２のデバイスセンシング応答メッセージの衝突がないバージョンを決定することと
をさらに備える、請求項１に記載の方法、または
前記第２のデバイスセンシング応答メッセージは、前記受信した第１のデバイスセンシング応答メッセージを上書きする、
請求項１に記載の方法。
【請求項３】
前記複数のリモートＮＦＣデバイスの各々は、ＮＦＣ−Ａ無線周波数（ＲＦ）技術を使用するように構成される、
請求項１に記載の方法。
【請求項４】
前記第１および第２のデバイスセンシング応答メッセージは、ＮＦＣフォーラムデジタルプロトコル規格で定義されたような、ＳＥＮＳ＿ＲＥＳメッセージである、
請求項１に記載の方法。
【請求項５】
前記第２のデバイスセンシング要求メッセージは、ＮＦＣフォーラムデジタルプロトコル規格で定義されたような、ＳＥＮＳ＿ＲＥＱメッセージである、
請求項１に記載の方法。
【請求項６】
前記スリープ要求メッセージは、ＮＦＣフォーラムデジタルプロトコル規格で定義されたような、ＳＬＰ＿ＲＥＱメッセージである、
請求項１に記載の方法。
【請求項７】
前記複数のリモートＮＦＣデバイスは、リーダデバイス、ライタデバイス、タグ、カード、およびピアデバイスのうちの少なくとも１つを備える、
請求項１に記載の方法、または
ＮＦＣデバイス識別子（ＮＦＣＩＤ）を取得するために、デバイスセンシング応答メッセージを送信した各デバイスと単一デバイス検出通信を実行することをさらに備える、
請求項１に記載の方法。
【請求項８】
コンピュータ上で実行された時、前記請求項１乃至７のいずれか１項のステップを実行するコードを備える、コンピュータ可読媒体。
【請求項９】
通信のための装置であって、
第１のデバイスセンシング応答メッセージが複数のリモート近接場通信(ＮＦＣ)デバイスの間における１つまたは複数の衝突を含むと決定するための手段と、
前記第１のデバイスセンシング応答メッセージについて衝突解消を実行することによって、前記複数のリモートＮＦＣデバイスのうち第１のリモートＮＦＣデバイスを識別するための手段と、
前記第１のリモートＮＦＣデバイスが第１のデバイスセンシング要求メッセージに応答することを禁止するスリープ要求メッセージを前記第１のリモートＮＦＣデバイスに送信するための手段と、
ここで、前記送信するための手段は、前記第１のデバイスセンシング要求メッセージを送信するようにさらに構成される、
前記複数のリモートＮＦＣデバイスの間における衝突を含む第２のデバイスセンシング応答メッセージを受信するための手段と
を備え、
前記識別するための手段は、前記第２のデバイスセンシング応答メッセージについて衝突解消を実行することによって、前記複数のリモートＮＦＣデバイスのうち第２のリモートＮＦＣデバイスを識別するようにさらに構成される、
装置。
【請求項１０】
前記受信した第１のデバイスセンシング応答メッセージを記憶構造の第１のロケーションに、前記第２のデバイスセンシング応答メッセージを前記記憶構造の第２のロケーションに記憶するための手段と、
ここで、前記受信するための手段はさらに、衝突がないデバイスセンシング応答メッセージを受信するように構成される、
前記受信された衝突がないデバイスセンシング応答メッセージを使用して、前記記憶構造の前記第１のロケーション内の前記第１のデバイスセンシング応答メッセージ、および、前記第２のロケーション内の前記第２のデバイスセンシング応答メッセージを分析することで、前記第１および第２のデバイスセンシング応答メッセージの衝突がないバージョンを決定するための手段と
を備える、請求項９に記載の装置、または
前記第２のデバイスセンシング応答メッセージは、前記第１のデバイスセンシング応答メッセージを上書きする、
請求項９に記載の装置。
【請求項１１】
前記複数のリモートＮＦＣデバイスの各々は、ＮＦＣ−Ａ無線周波数（ＲＦ）技術を使用するように構成される、
請求項９に記載の装置。
【請求項１２】
前記第１および第２のデバイスセンシング応答メッセージは、ＮＦＣフォーラムデジタルプロトコル規格で定義されたような、ＳＥＮＳ＿ＲＥＳメッセージである、
請求項９に記載の装置。
【請求項１３】
前記第２のデバイスセンシング要求メッセージは、ＮＦＣフォーラムデジタルプロトコル規格で定義されたような、ＳＥＮＳ＿ＲＥＱメッセージである、
請求項９に記載の装置。
【請求項１４】
前記スリープ要求メッセージは、ＮＦＣフォーラムデジタルプロトコル規格で定義されたような、ＳＬＰ＿ＲＥＱメッセージである、
請求項９に記載の装置。
【請求項１５】
前記複数のリモートＮＦＣデバイスは、リーダデバイス、ライタデバイス、タグ、カード、およびピアデバイスのうちの少なくとも１つを備える、
請求項９に記載の装置、または
前記受信するための手段および前記送信するための手段はさらに、ＮＦＣデバイス識別子（ＮＦＣＩＤ）を取得するために、デバイスセンシング応答メッセージを送信した各デバイスと単一デバイス検出通信を実行するように構成される、
請求項９に記載の装置。
【手続補正２】
【補正対象書類名】明細書
【補正対象項目名】００７１
【補正方法】変更
【補正の内容】
【００７１】
[0078]先の開示は例示的な態様および／または態様について論述しているが、説明された態様、および／または、特許請求の範囲によって定義されたような態様の範囲から逸脱することなく、本明細書において様々な変化および変更がなされうることが留意されるべきでる。さらに、説明された態様および／または態様の要素は、単数形で説明または請求されうるが、単数形への限定が明確に特定されていない場合、複数形が考慮される。加えて、任意の態様および／または態様のすべてまたは一部が、別途明記されていない限り、任意の他の態様および／または態様のすべてまたは一部とともに利用されうる。
以下に、本願出願の当初の特許請求の範囲に記載された発明を付記する。
［Ｃ１］
ワイヤレス通信の方法であって、
第１のデバイスセンシング応答メッセージが複数のリモート近接場通信(ＮＦＣ)デバイスの間における１つまたは複数の衝突を含むと決定することと、
前記第１のデバイスセンシング応答メッセージについて衝突解消を実行することによって、前記複数のリモートＮＦＣデバイスのうち第１のリモートＮＦＣデバイスを識別することと、
前記第１のリモートＮＦＣデバイスが第１のデバイスセンシング要求メッセージに応答することを禁止するスリープ要求メッセージを前記第１のリモートＮＦＣデバイスに送信することと、
前記第１のデバイスセンシング要求メッセージを送信することと、
前記複数のリモートＮＦＣデバイスの間における衝突を含む第２のデバイスセンシング応答メッセージを受信することと、
前記第２のデバイスセンシング応答メッセージについて衝突解消を実行することによって、前記複数のリモートＮＦＣデバイスのうちの第２のリモートＮＦＣデバイスを識別することと
を備える方法。
［Ｃ２］
技術検出プロセスの一部として、第２のデバイスセンシング要求メッセージを送信することと、
前記第２のデバイスセンシング要求メッセージに応答して、前記第１のデバイスセンシング応答メッセージを受信することと
をさらに備える、［Ｃ１］に記載の方法。
［Ｃ３］
前記第１のデバイスセンシング応答メッセージを記憶構造の第１のロケーションに、前記第２のデバイスセンシング応答メッセージを前記記憶構造の第２のロケーションに記憶することと、
衝突がないデバイスセンシング応答メッセージを受信することと、
前記受信された衝突がないデバイスセンシング応答メッセージを使用して、前記記憶構造内の前記第１のロケーション内の前記第１のデバイスセンシング応答メッセージ、および、前記第２のロケーション内の前記第２のデバイスセンシング応答メッセージを分析することで、前記第１および第２のデバイスセンシング応答メッセージの衝突がないバージョンを決定することと
をさらに備える、［Ｃ１］に記載の方法。
［Ｃ４］
前記第２のデバイスセンシング応答メッセージは、前記第１のデバイスセンシング応答メッセージを上書きする、
［Ｃ１］に記載の方法。
［Ｃ５］
前記複数のリモートＮＦＣデバイスの各々は、ＮＦＣ−Ａ無線周波数（ＲＦ）技術を使用するように構成される、
［Ｃ１］に記載の方法。
［Ｃ６］
前記第１および第２のデバイスセンシング応答メッセージは、ＮＦＣフォーラムデジタルプロトコル規格で定義されたような、ＳＥＮＳ＿ＲＥＳメッセージである、
［Ｃ１］に記載の方法。
［Ｃ７］
前記第２のデバイスセンシング要求メッセージは、ＮＦＣフォーラムデジタルプロトコル規格で定義されたような、ＳＥＮＳ＿ＲＥＱメッセージである、
［Ｃ１］に記載の方法。
［Ｃ８］
前記スリープ要求メッセージは、ＮＦＣフォーラムデジタルプロトコル規格で定義されたような、ＳＬＰ＿ＲＥＱメッセージである、
［Ｃ１］に記載の方法。
［Ｃ９］
前記複数のリモートＮＦＣデバイスは、リーダデバイス、ライタデバイス、タグ、カード、およびピアデバイスのうちの少なくとも１つを備える、
［Ｃ１］に記載の方法。
［Ｃ１０］
ＮＦＣデバイス識別子（ＮＦＣＩＤ）を取得するために、デバイスセンシング応答メッセージを送信した各デバイスと単一デバイス検出通信を実行することをさらに備える、
［Ｃ１］に記載の方法。
［Ｃ１１］
コンピュータ読取可能な媒体を備える、コンピュータプログラム製品であって、前記コンピュータ読取可能な媒体は、
第１のデバイスセンシング応答メッセージが複数のリモート近接場通信(ＮＦＣ)デバイスの間における１つまたは複数の衝突を含むと決定することと、
前記第１のデバイスセンシング応答メッセージについて衝突解消を実行することによって、前記複数のリモートＮＦＣデバイスのうち第１のリモートＮＦＣデバイスを識別することと、
前記第１のリモートＮＦＣデバイスが第１のデバイスセンシング要求メッセージに応答することを禁止するスリープ要求メッセージを前記第１のリモートＮＦＣデバイスに送信することと、
前記第１のデバイスセンシング要求メッセージを送信することと、
前記複数のリモートＮＦＣデバイスの間における衝突を含む第２のデバイスセンシング応答メッセージを受信することと、
前記第２のデバイスセンシング応答メッセージについて衝突解消を実行することによって、前記複数のリモートＮＦＣデバイスのうち第２のリモートＮＦＣデバイスを識別することと
を行うためのコードを備える、コンピュータプログラム製品。
［Ｃ１２］
前記コンピュータ読取可能な媒体は、
技術検出プロセスの一部として、第２のデバイスセンシング要求メッセージを送信することと、
前記第２のデバイスセンシング要求メッセージに応答して、前記第１のデバイスセンシング応答メッセージを受信することと
を行うためのコードをさらに備える、［Ｃ１１］に記載のコンピュータプログラム製品。
［Ｃ１３］
前記コンピュータ読取可能な媒体は、
前記第１のデバイスセンシング応答メッセージを記憶構造の第１のロケーションに、前記第２のデバイスセンシング応答メッセージを前記記憶構造の第２のロケーションに記憶することと、
衝突がないデバイスセンシング応答メッセージを受信することと、
前記受信された衝突がないデバイスセンシング応答メッセージを使用して、前記記憶構造の前記第１のロケーション内の前記第１のデバイスセンシング応答メッセージ、および、前記第２のロケーション内の前記第２のデバイスセンシング応答メッセージを分析することで、前記第１および第２のデバイスセンシング応答メッセージの衝突がないバージョンを決定することと
を行うためのコードをさらに備える、［Ｃ１１］に記載のコンピュータプログラム製品。
［Ｃ１４］
前記第２のデバイスセンシング応答メッセージは、前記第１のデバイスセンシング応答メッセージを上書きする、
［Ｃ１１］に記載のコンピュータプログラム製品。
［Ｃ１５］
前記複数のリモートＮＦＣデバイスの各々は、ＮＦＣ−Ａ無線周波数（ＲＦ）技術を使用するように構成される、
［Ｃ１１］に記載のコンピュータプログラム製品。
［Ｃ１６］
前記第１および第２のデバイスセンシング応答メッセージは、ＮＦＣフォーラムデジタルプロトコル規格で定義されたような、ＳＥＮＳ＿ＲＥＳメッセージである、
［Ｃ１１］に記載のコンピュータプログラム製品。
［Ｃ１７］
前記第２のデバイスセンシング要求メッセージは、ＮＦＣフォーラムデジタルプロトコル規格で定義されたような、ＳＥＮＳ＿ＲＥＱメッセージである、
［Ｃ１１］に記載のコンピュータプログラム製品。
［Ｃ１８］
前記スリープ要求メッセージは、ＮＦＣフォーラムデジタルプロトコル規格で定義されたような、ＳＬＰ＿ＲＥＱメッセージである、
［Ｃ１１］に記載のコンピュータプログラム製品。
［Ｃ１９］
前記複数のリモートＮＦＣデバイスは、リーダデバイス、ライタデバイス、タグ、カード、およびピアデバイスのうちの少なくとも１つを備える、
［Ｃ１１］に記載のコンピュータプログラム製品。
［Ｃ２０］
前記コンピュータ読取可能な媒体は、ＮＦＣデバイス識別子（ＮＦＣＩＤ）を取得するために、デバイスセンシング応答メッセージを送信した各デバイスと単一デバイス検出通信を実行することを行うためのコードをさらに備える、
［Ｃ１１］に記載のコンピュータプログラム製品。
［Ｃ２１］
通信のための装置であって、
第１のデバイスセンシング応答メッセージが複数のリモート近接場通信(ＮＦＣ)デバイスの間における１つまたは複数の衝突を含むと決定するための手段と、
前記第１のデバイスセンシング応答メッセージについて衝突解消を実行することによって、前記複数のリモートＮＦＣデバイスのうち第１のリモートＮＦＣデバイスを識別するための手段と、
前記第１のリモートＮＦＣデバイスが第１のデバイスセンシング要求メッセージに応答することを禁止するスリープ要求メッセージを前記第１のリモートＮＦＣデバイスに送信するための手段と、
ここで、前記送信するための手段は、前記第１のデバイスセンシング要求メッセージを送信するようにさらに構成される、
前記複数のリモートＮＦＣデバイスの間における衝突を含む第２のデバイスセンシング応答メッセージを受信するための手段と
を備え、
前記識別するための手段は、前記第２のデバイスセンシング応答メッセージについて衝突解消を実行することによって、前記複数のリモートＮＦＣデバイスのうち第２のリモートＮＦＣデバイスを識別するようにさらに構成される、
装置。
［Ｃ２２］
前記送信するための手段は、技術検出プロセスの一部として第２のデバイスセンシング要求メッセージを送信するようにさらに構成され、
前記受信するための手段は、前記第２のデバイスセンシング要求メッセージに応答して、前記第１のデバイスセンシング応答メッセージを受信するようにさらに構成される、
［Ｃ２１］に記載の方法。
［Ｃ２３］
前記第１のデバイスセンシング応答メッセージを記憶構造の第１のロケーションに、前記第２のデバイスセンシング応答メッセージを前記記憶構造の第２のロケーションに記憶するための手段と、
ここで、前記受信するための手段はさらに、衝突がないデバイスセンシング応答メッセージを受信するように構成される、
前記受信された衝突がないデバイスセンシング応答メッセージを使用して、前記記憶構造の前記第１のロケーション内の前記第１のデバイスセンシング応答メッセージ、および、前記第２のロケーション内の前記第２のデバイスセンシング応答メッセージを分析することで、前記第１および第２のデバイスセンシング応答メッセージの衝突がないバージョンを決定するための手段と
を備える、［Ｃ２１］に記載の装置。
［Ｃ２４］
前記第２のデバイスセンシング応答メッセージは、前記第１のデバイスセンシング応答メッセージを上書きする、
［Ｃ２１］に記載の装置。
［Ｃ２５］
前記複数のリモートＮＦＣデバイスの各々は、ＮＦＣ−Ａ無線周波数（ＲＦ）技術を使用するように構成される、
［Ｃ２１］に記載の装置。
［Ｃ２６］
前記第１および第２のデバイスセンシング応答メッセージは、ＮＦＣフォーラムデジタルプロトコル規格で定義されたような、ＳＥＮＳ＿ＲＥＳメッセージである、
［Ｃ２１］に記載の装置。
［Ｃ２７］
前記第２のデバイスセンシング要求メッセージは、ＮＦＣフォーラムデジタルプロトコル規格で定義されたような、ＳＥＮＳ＿ＲＥＱメッセージである、
［Ｃ２１］に記載の装置。
［Ｃ２８］
前記スリープ要求メッセージは、ＮＦＣフォーラムデジタルプロトコル規格で定義されたような、ＳＬＰ＿ＲＥＱメッセージである、
［Ｃ２１］に記載の装置。
［Ｃ２９］
前記複数のリモートＮＦＣデバイスは、リーダデバイス、ライタデバイス、タグ、カード、およびピアデバイスのうちの少なくとも１つを備える、
［Ｃ２１］に記載の装置。
［Ｃ３０］
前記受信するための手段および前記送信するための手段はさらに、ＮＦＣデバイス識別子（ＮＦＣＩＤ）を取得するために、デバイスセンシング応答メッセージを送信した各デバイスと単一デバイス検出通信を実行するように構成される、
［Ｃ２１］に記載の装置。
［Ｃ３１］
ＮＦＣ通信のための装置であって、
トランシーバと、
メモリと、
前記メモリに結合されたプロセッサと、
前記メモリまたは前記プロセッサのうちの少なくとも１つに結合されたＮＦＣ技術検出モジュールと、
を備え、前記ＮＦＣ技術検出モジュールは、
第１のデバイスセンシング応答メッセージが複数のリモート近接場通信(ＮＦＣ)デバイスの間における１つまたは複数の衝突を含むと決定し、
前記第１のデバイスセンシング応答メッセージについて衝突解消を実行することによって、前記複数のリモートＮＦＣデバイスのうち第１のリモートＮＦＣデバイスを識別する
ように構成され、
前記トランシーバは、
前記第１のリモートＮＦＣデバイスが第１のデバイスセンシング要求メッセージに応答することを禁止するスリープ要求メッセージを前記第１のリモートＮＦＣデバイスに送信し、
前記第１のデバイスセンシング要求メッセージを送信し、
前記複数のリモートＮＦＣデバイスの間における衝突を含む第２のデバイスセンシング応答メッセージを受信する
ように構成され、
前記ＮＦＣ技術検出モジュールは、
前記第２のデバイスセンシング応答メッセージについて衝突解消を実行することによって、前記複数のリモートＮＦＣデバイスのうち第２のリモートＮＦＣデバイスを識別する
ようにさらに構成される、装置。
［Ｃ３２］
前記トランシーバは、
技術検出プロセスの一部として、第２のデバイスセンシング要求メッセージを送信し、
前記第２のデバイスセンシング要求メッセージに応答して、前記第１のデバイスセンシング応答メッセージを受信する
ようにさらに構成される、
［Ｃ３１］に記載の装置。
［Ｃ３３］
前記メモリは、前記第１のデバイスセンシング応答メッセージを記憶構造の第１のロケーションに、前記第２のデバイスセンシング応答メッセージを前記記憶構造の第２のロケーションに記憶するようにさらに構成され、
ここで、前記トランシーバは、衝突がないデバイスセンシング応答メッセージを受信するようにさらに構成され、
前記ＮＦＣ技術検出モジュールは、前記受信された衝突がないデバイスセンシング応答メッセージを使用して、前記記憶構造の前記第１のロケーション内の前記第１のデバイスセンシング応答メッセージ、および、前記第２のロケーション内の前記第２のデバイスセンシング応答メッセージを分析することで、前記第１および第２のデバイス
センシング応答メッセージの衝突がないバージョンを決定するようにさらに構成される、［Ｃ３１］に記載の装置。
［Ｃ３４］
前記第２のデバイスセンシング応答メッセージ
は、前記メモリにおいて、前記第１のデバイスセンシング応答メッセージを上書きする、［Ｃ３１］に記載の装置。
［Ｃ３５］
前記複数のリモートＮＦＣデバイスの各々は、ＮＦＣ−Ａ無線周波数（ＲＦ）技術を使用するように構成される、
［Ｃ３１］に記載の装置。
［Ｃ３６］
前記第１および第２のデバイスセンシング応答メッセージは、ＮＦＣフォーラムデジタルプロトコル規格で定義されたような、ＳＥＮＳ＿ＲＥＳメッセージである、
［Ｃ３１］に記載の装置。
［Ｃ３７］
前記第２のデバイスセンシング要求メッセージは、ＮＦＣフォーラムデジタルプロトコル規格で定義されたような、ＳＥＮＳ＿ＲＥＱメッセージである、
［Ｃ３１］に記載の装置。
［Ｃ３８］
前記スリープ要求メッセージは、ＮＦＣフォーラムデジタルプロトコル規格で定義されたような、ＳＬＰ＿ＲＥＱメッセージである、
［Ｃ３１］に記載の装置。
［Ｃ３９］
前記複数のリモートＮＦＣデバイスは、リーダデバイス、ライタデバイス、タグ、カード、およびピアデバイスのうちの少なくとも１つを備える、
［Ｃ３１］に記載の装置。
［Ｃ４０］
前記ＮＦＣ技術検出モジュールは、ＮＦＣデバイス識別子（ＮＦＣＩＤ）を取得するために、デバイスセンシング応答メッセージを送信した各デバイスと単一デバイス検出通信を実行するようにさらに構成される、
［Ｃ３１］に記載の装置。